(57)【特許請求の範囲】
【請求項１】
靴を載置する矩形状の載置部と、該載置部の両側の長辺から下方に延在する一対の傾動部とから成り、前記載置部と、前記一対の傾動部とに囲まれた内側を収容部とした靴収納具であって、
前記傾動部は山形状の２つの斜辺を有し、
前記長辺に対する垂線を前記長辺の略中点から立ち下げた場合に、前記２つの斜辺の頂部は、前記垂線上に位置することを特徴とする靴収納具。
【請求項２】
前記載置部に前記靴を載置した状態で、前記２つの斜辺が択一的に設置面に接するように、前記頂部を中心に傾動させることが可能であることを特徴とする請求項１に記載の靴収納具。
【請求項３】
前記傾動部は、一方の前記斜辺の前記頂部側の端部に対して反対側の端部と、前記長辺の一方の端部とを結ぶ側辺を備えることを特徴とする請求項１又は２に記載の靴収納具。
【請求項４】
前記傾動部は、他方の前記斜辺の前記頂部側の端部に対して反対側の端部と、前記長辺の他方の端部とを結ぶ側辺を備えることを特徴とする請求項３に記載の靴収納具。
【請求項５】
前記傾動部は、五角形状の面状体であることを特徴とする請求項４に記載の靴収納具。
【請求項６】
前記載置部及び傾動部は複数本の棒状体を溶着又は接着して成ることを特徴とする請求項３〜５の何れか１項に記載の靴収納具。
【請求項７】
前記載置部及び前記一対の傾動部のうち、少なくとも前記載置部は、透明又は半透明としたことを特徴とする請求項１〜５の何れか１項に記載の靴収納具。
【請求項８】
前記載置部の一方の短辺の近傍に、該短辺に沿って落下防止部を設けたことを特徴とする請求項１〜７の何れか１項に記載の靴収納具。
【発明の詳細な説明】
【技術分野】
【０００１】
本発明は、下駄箱等内において靴を収容する靴収納具に関するものである。
【背景技術】
【０００２】
特許文献１には、２つの靴収容棚と、これらの靴収容棚の一端に接続された接続板とから成り、断面略Ｖ字状の靴ラックが開示されている。ユーザは一足のうちの片方の靴を上側の靴収容棚に載置し、他方を下側の靴収容棚に載置した状態で、接続板を下駄箱の手前に向けた状態で下駄箱に収納する。このような特許文献１の靴ラックを用いることで、下駄箱内の空間を有効に利用することが可能となる。
【先行技術文献】
【特許文献】
【０００３】
【特許文献１】実用新案登録第３１７５９３４号公報
【発明の概要】
【発明が解決しようとする課題】
【０００４】
しかし、特許文献１の図３に示す下側の靴収容棚の靴を取り出す場合に、靴ラックごと下駄箱から取り出した後に、下側の靴収容棚の靴を取り出さなければならない。片手に鞄や傘を持っている場合には、一旦、鞄や傘を床等に置いて、一方の手で靴ラック全体を取り出し、他方の手で下側の靴収容棚の靴を持たなければならず厄介である。
【０００５】
また、靴を靴収容棚に収容する場合にも、下側の靴収容棚に靴を載置するために、一方の手で靴ラック全体を下駄箱から取り出し、他方の手で下側の靴収容棚に靴を載置しなければならない。
【０００６】
本発明の目的は、上述の課題を解消し、片手だけで簡便に両方の靴の収納及び取り出しを行うことのできる靴収納具を提供することにある。
【課題を解決するための手段】
【０００７】
上記目的を達成するための本発明に係る靴収納具は、靴を載置する矩形状の載置部と、該載置部の両側の長辺から下方に延在する一対の傾動部とから成り、前記載置部と、前記一対の傾動部とに囲まれた内側を収容部とした靴収納具であって、前記傾動部は山形状の２つの斜辺を有し、前記長辺に対する垂線を前記長辺の略中点から立ち下げた場合に、前記２つの斜辺の頂部は、前記垂線上に位置することを特徴とする。
【発明の効果】
【０００８】
本発明に係る靴収納具によれば、靴を効率的に収容することができ、載置部を前後に傾けることで、片手だけで簡便に一足の靴の収容及び取り出しを行うことが可能となる。
【図面の簡単な説明】
【０００９】
【図１】実施例１の靴収納具を上方から見た斜視図である。
【図２】下方から見た斜視図である。
【図３】一方の靴を上側に収容する場合の側面図である。
【図４】一方の靴を上側に載置し、他方の靴を下側に収納する場合の側面図である。
【図５】変形例の一足の靴を収納する横幅を有する靴収納具の斜視図である。
【図６】実施例２の靴収納具の斜視図である。
【発明を実施するための形態】
【００１０】
本発明を図示の実施例に基づいて詳細に説明する。
【実施例１】
【００１１】
図１は実施例１の靴収納具１を上方から見た斜視図、図２は下方から見た斜視図である。靴収納具１は合成樹脂等の板材から成り、矩形状で斜面となる載置部２と、この載置部２の両長辺２ａから下方に延在する一対の傾動部３とから成り、載置部２及び両傾動部３に囲まれ、横断面コ字状に構成された収納部を備えている。
【００１２】
載置部２及び一対の傾動部３は、合成樹脂の射出成型により載置部２の両側の長辺から傾動部３が下方に折り曲がった状態で製作されているが、異なる板体状の素材を接着して製造することも可能である。
【００１３】
また、載置部２及び一対の傾動部３のうち、少なくとも載置部２は、透明又は半透明の素材とすることが好ましい。載置部２及び一対の傾動部３をこのように透明又は半透明にすることで、靴の収納状態を容易に確認することが可能となる。
【００１４】
載置部２の大きさは、一般的な一足のうちの一方の靴を載置できる程度の大きさであり、載置部２の大きさを変えて、男性用、女性用、小供用などの適宜のサイズの靴収納具１を用意することも可能である。
【００１５】
載置部２の表面には、所定間隔をおいて条片状の滑り止め部２ｂが載置部２の短辺２ｃと平行して設けられている。また、載置部２の一方の短辺２ｃの近傍に短辺２ｃに沿って落下防止部２ｄが設けられている。
【００１６】
この落下防止部２ｄは、靴の踵部が引っ掛かる程度の高さ、例えば５ｍｍ程度の高さを有している。また、載置部２の裏側の内側面の数個所には、長辺２ａの屈曲個所を補強する補強部２ｅが配置されている。
【００１７】
傾動部３は例えば五角形状の面状体とされており、載置部２との境界部である長辺２ａ以外の周辺には、補強用のリブ状の枠部３ａが設けられている。この枠部３ａは、傾動部３の板材の強度を補うものであり、傾動部３が十分に強度を有する素材や金属から成る場合には不要である。
【００１８】
図１、図２に示すように、長辺２ａの略中点から、点線で示す垂線Ｐ上に頂部３ｂが配置されており、頂部３ｂを頂点として両側の斜辺３ｃ、３ｄにより山形が形成されている。
【００１９】
斜辺３ｃの頂部３ｂ側の端部に対して反対側の端部である角部３ｅと、長辺２ａの一方の端部２ｆとを結ぶ側辺３ｆが傾動部３に設けられている。また、斜辺３ｄの頂部３ｂ側の端部に対して反対側の端部である角部３ｇと、長辺２ａの他方の端部２ｇとを結ぶ側辺３ｈが傾動部３に設けられている。ここで、傾動部３に斜辺３ｃ、３ｄを設けることは必須であるが、側辺３ｆ、３ｈについては片方の側辺を省略することが可能である。
【００２０】
靴収納具１に靴を収納する場合は、図３に示すように、先ず下駄箱の棚面Ｔ上に斜辺３ｄが接する状態とし、側辺３ｈが下駄箱の入口側を向くように靴収納具１を配置する。そして、収納する片方の靴Ｓ１を入口側に傾斜した載置部２上に載置する。この際に、靴Ｓ１の爪先側が手前になるように靴Ｓ１を載置部２上に載置する。
【００２１】
続いて、図４に示すように、傾動部３の頂部３ｂを回転中心として靴収納具１を傾けて、斜辺３ｃが棚面Ｔに接する状態にする。このように、靴収納具１を反対側に傾動することで、靴Ｓ１の踵部は落下防止部２ｄに接する状態となり、この落下防止部２ｄによって靴Ｓ１が奥側にずれ落ちることを防止する。
【００２２】
そして、他方の靴Ｓ２を一対の傾動部３で囲まれた載置部２の下方の収納部に挿入し、靴Ｓ２を完全に押し込むことで、靴Ｓ１及びＳ２の載置及び収納が完了する。
【００２３】
また、靴Ｓ１、Ｓ２を取り出す場合には、先ず図４の状態の靴Ｓ２を踵側から引き出した後に、頂部３ｂを回動中心として入口側に靴収納具１を図３に示すように傾動して、載置部２上に載置されている靴Ｓ１を取り出す。
【００２４】
このように、従来の靴収容棚と異なり、下駄箱の棚面から靴収納具１本体を取り出すことなく、収納した靴Ｓ１、Ｓ２を取り出すことができる。また、靴Ｓ１、Ｓ２の取り出し、収納を片手だけで行うこともできる。このため、カバンや傘により、片手が塞がっている場合であっても、カバン等から手を離すことなく靴Ｓ１、Ｓ２を取り出すことが可能となる。
【００２５】
図５は変形例の靴収納具１’の上方から見た斜視図であり、載置部２の短辺２ｃに沿う横幅は靴一足分の大きさを有している。このため、載置部２上に一足分の靴が載置できると共に、一対の傾動部３で囲まれた載置部２の下方にも一足分の靴を収納することができる。
【００２６】
また、載置部２の一対の長辺２ａ及び短辺２ｃに沿って高さ５ｍｍ程度の側壁部２ｈが設けられており、この側壁部２ｈにより、一足の靴が載置部２からはみ出て落下することが防止される。
【００２７】
なお、図１に示す靴収納具１の落下防止部２ｄに代えて、靴収納具１’の側壁部２ｈの形状を採用してもよいし、靴収納具１’の側壁部２ｈに代えて、靴収納具１の落下防止部２ｄの形状を採用することもできる。
【００２８】
靴収納具１’への靴の収納及び取り出し方は、図３、図４と同様であるが、図３、図４においては靴収納具１の片方ずつの靴の収容、取り出しに対して、図５に示す靴収納具１は一足分を合わせて収容、取り出しを行うことができる。
【実施例２】
【００２９】
図６は実施例２の靴収納具１１の斜視図である。載置部１２及び傾動部１３から成る靴収納具１１は、多数本の棒状体、例えば針金を溶着又は接着して製造されており、載置部１２の長辺１２ａから傾動部１３が延在している。
【００３０】
載置部１２には長辺１２ａ間を架け渡す多数の架渡棒１２ｂが、等間隔で平行するように配置されており、載置部１２の傾動部１３が延在する側の端部には、棒状体の落下防止部１２ｃが配置されている。
【００３１】
傾動部１３は長辺１２ａの略中点から、点線で示す垂線Ｐ上に頂部１３ａを介して連続する斜辺１３ｂ、斜辺１３ｃを備え、斜辺１３ｂの頂部１３ａ側の端部に対して反対側の端部である角部１３ｄと、長辺２ａの一方の端部１２ｄとを結ぶ側辺１３ｅが設けられている。
【００３２】
なお、実施例２の靴収納具１１では傾動部１３の斜辺１３ｂ側に側辺を設けていないが、傾動部１３の強度を増すために、斜辺１３ｂ側に側辺１３ｅと対向する側辺を設け、傾動部１３を五角形状の枠体としてもよい。
【００３３】
更には、実施例１の面状の載置部２と実施例２の棒状体から成る傾動部１３とを組み合わせたり、実施例２の棒状体の部材から成る載置部１２と、面状の傾動部３とを組み合わすようにしてもよい。
【００３４】
実施例２の靴収納具１１は、実施例１の靴収納具１と同様の作用効果を備えており、片手だけで簡便に一足の靴の収容及び取り出しを行うことが可能である。
【符号の説明】
【００３５】
１、１１  靴収納具
２、１２  載置部
２ａ、１２ａ  長辺
２ｂ  滑り止め部
２ｃ  短辺
２ｄ、１２ｃ  落下防止部
３、１３  傾動部
３ｂ、１３ａ  頂部
３ｃ、３ｄ、１３ｂ、１３ｃ  斜辺
【図１】
0006757603.tif 000002
【図２】
0006757603.tif 000003
【図３】
0006757603.tif 000004
【図４】
0006757603.tif 000005
【図５】
0006757603.tif 000006
【図６】
0006757603.tif 000007